(57)【要約】【課題】外部からルーバーの隙間から手指を差し込んでルーバー扉のロックを外すことができないようにしたルーバー扉のロック装置を提供する。【解決手段】ルーバー扉１４のハンドル１６に連動する上記ロック装置１０と上記ルーバー扉１４のルーバー３１が閉じているときは、そのルーバー３１をロックし、ルーバー３１が開いているときは上記ハンドル１６の操作がロックされる装置を備えたもので、具体的には、上記ハンドル１６の軸１７に回転閂２０を設け、この回転閂２０に稙設したピン２５を介してリンク２６の一端を連結し、このリンク２６の他端に、外形形状がＴ形で、その天部（翼部３０ａ）中央が刳抜き３０ｃされ、その両側にスリット３０ｄを設けた摺動板３０を連結し、その摺動板３０のＴ形脚部３０ｂを案内するガイド３２を設けてなる。【選択図】図１
2007113198.tif 000002
【特許請求の範囲】
【請求項１】
窓枠にヒンジを介して片開き可能に取付けたルーバー扉と、上記窓枠に嵌められた引き違い扉と、上記ルーバー扉と引き違い扉の対向する枠間にロック装置を設けたルーバー扉ロック装置において、ルーバー扉の開閉操作ハンドルに連動する上記ロック装置と上記ルーバー扉のルーバーが閉じているときは、そのルーバーをロックし、ルーバーが開いているときは上記開閉操作ハンドルの操作がロックされる装置を備えたことを特徴とするルーバー扉のダブルロック装置。
【請求項２】
上記開閉操作ハンドルの軸に回転閂を設け、この回転閂に稙設したピンを介してリンクの一端を連結し、このリンクの他端に、外形形状がＴ形で、その天部中央が刳抜かれ、その両側にスリットを設けた摺動板を連結し、その摺動板のＴ形脚部を案内するガイドをルーバー扉内に設けたことを特徴とする請求項１に記載のルーバー扉のダブルロック装置。
【請求項３】
上記開閉操作ハンドルの回転軸に偏心カム機構を設け、上記偏心カム機構に閂棒と、外形形状がＴ形で、その天部中央で脚部の付け根の両側にスリットを設けた摺動板とを取付け、その摺動板のＴ形脚部を案内するガイドをルーバー扉内に設けたことを特徴とする請求項１に記載のルーバー扉のダブルロック装置。
【請求項４】
上記開閉操作ハンドルの回転軸に揺動クランク機構を設け、上記揺動クランク機構に閂棒と、外形形状がＴ形で、その天部中央で脚部の付け根の両側にスリットを設けた摺動板とを取付け、その摺動板のＴ形脚部を案内するガイドをルーバー扉内に設けたことを特徴とする請求項１に記載のルーバー扉のダブルロック装置。
【発明の詳細な説明】
【技術分野】
【０００１】
この発明は、窓枠にヒンジを介して取付けたルーバー片開き扉と、上記窓枠に嵌められた引き違い扉との間をロックすると共に、ルーバーの隙間から手指を差し込んで上記ロックを外すことが出来ないようにしたルーバー扉のロック装置に関する。
【背景技術】
【０００２】
ルーバー枠のロックに関する先行技術として特許文献１がある。
【０００３】
【特許文献１】特開平９−０７２１６８号公報
【発明の開示】
【発明が解決しようとする課題】
【０００４】
上記特許文献１の技術内容は、ルーバーのロックそのものであって、ルーバー扉と窓枠、あるいはルーバー扉と他の扉との間をロックし、さらにルーバーの隙間から手指を差し込んで外部から上記ロックを外して外部からの侵入を防止する機能を持つものではなく、特に共用通路のある高層住宅ではルーバーのロックとともにルーバー扉のロック、さらにルーバーの隙間から手指を差し込んでルーバー扉のロックを外すことができないものが求められている。
【０００５】
特に高層住宅で、そよ風を取り入れて室内を涼しくして消費電力を抑える要望が強い状況のもとで、防犯対策上強い要求になっている。
【０００６】
上記に鑑みこの発明は、外部からルーバーの隙間から手指を差し込んでルーバー扉のロックを外すことができないようにしたルーバー扉のロック装置を提供することを課題とする。
【課題を解決するための手段】
【０００７】
上記課題を解決するためにこの発明は、窓枠にヒンジを介して片開き可能に取付けたルーバー扉と、上記窓枠に嵌められた引き違い扉と、上記ルーバー扉と引き違い扉の対向する枠間にロック装置を設けたルーバー扉ロック装置において、ルーバー扉の開閉操作ハンドルに連動する上記ロック装置と上記ルーバー扉のルーバーが閉じているときは、そのルーバーをロックし、ルーバーが開いているときは上記開閉操作ハンドルの操作がロックされる装置を備えたもので、具体的には、上記開閉操作ハンドルの軸に回転閂を設け、この回転閂に稙設したピンを介してリンクの一端を連結し、このリンクの他端に、外形形状がＴ形で、その天部中央が刳抜かれ、その両側にスリットを設けた摺動板を連結し、その摺動板のＴ形脚部を案内するガイドをルーバー扉内に設けたもの、または、上記開閉操作ハンドルの回転軸に偏心カム機構または揺動クランク機構を設け、上記偏心カム機構または揺動クランク機構に閂棒と、外形形状がＴ形で、その天部中央で脚部の付け根の両側にスリットを設けた摺動板とを取付け、その摺動板のＴ形脚部を案内するガイドをルーバー扉内に設けたものである。
【発明の効果】
【０００８】
上記の如く構成するこの発明によればハンドル操作によってルーバー扉と引き違い扉との間に閂が掛渡されるとともに、ルーバーが閉じているときルーバーはその状態でロックされ、ルーバーが開いているときはルーバーの隙間から手指を差し込みハンドルを廻そうとしてもハンドルはロックされていてルーバー扉を開け不法侵入することはできない。
【発明を実施するための最良の形態】
【０００９】
次にこの発明の実施の形態を、図面を参照しながら説明する。図５は窓枠１１に嵌められた引き違い扉１２の片方を半開きにし、半開きにした引き違い扉１２側の窓枠１１にヒンジ１３を介して取付けられた片開きできるルーバー扉１４（以下、単に「ルーバー扉」という）の状態を示す。
【００１０】
上記ルーバー扉１４と半開き状態の引き違い扉１２とは、図１乃至図４に示すようにルーバー扉１４の枠１５の外側に取付けられたハンドル１６と、このハンドル１６のボス１６ｂに固定された軸１７が枠１５を貫通し、この軸１７はハンドル１６側が角軸１７ａで段部から先は丸軸１７ｂになって、角軸１７ａの部分にはハンドル１６、ライナー１８、スプリング１９および回転閂２０が嵌められ、段部の先の丸軸１７ｂは軸受け２１に支承され、軸端の雌ネジ２２にワッシャー付きビス２３を取り付けることにより抜け止めになっている。なお、上記軸受け２１はルーバー扉１４の枠１５に嵌って固定されている。
【００１１】
上記回転閂２０の軸周りにはピン孔２４が設けられ、このピン孔２４にピン２５が嵌り、このピン２５を介してリンク２６の一端が連結され、このリンク２６の他端にはピン孔２７が設けられピン２８が立てられてカラー２９を介在させて全体形状がＴ形の摺動板３０が連結されている。なお、上記カラー２９はリンク２６と摺動板３０との間隔を形成するためのものである。
【００１２】
上記Ｔ形の摺動板３０は、翼部３０ａと脚部３０ｂの付け根で９０度ずつ二回折り曲げられてルーバー３１の位置に対応するようにし、翼部３０ａの中央でハンドル軸１７を回避するために刳抜き３０ｃが設けられ、脚部３０ｂの両サイドを延長してスリット３０ｄを設け摺動板３０がそのガイド３２に衝突せず摺動するようにしている。
【００１３】
上記ハンドル１６、回転閂２０、摺動板３０などをセットしたルーバー扉１４の枠１５に対向する引き違い扉１２の枠（戸当り部分）３３には、取付け板３４の中央部分から断面コ字状に立ち上げその先を鉤状にした閂受け３５が取付けられている。
【００１４】
次にこのルーバー扉１４のロック装置１０の作用について説明する。図１ではハンドル１６は起立し、回転閂２０は閂受け３５から外れた状態で、回転閂２０の軸周りに設けたピン２５を介して連結したリンク２６はその端でピン２８を介して摺動板３０に連結されて左方向に摺動して翼部３０ａが枠１５からルーバー３１側に迫り出しルーバー３１の揺動を阻止して開かないようになっている。従ってこの状態では外部から手指を差し込む余地はない。
【００１５】
図２ではハンドル１６は９０度回されて横になりそれとともに回転閂２０も９０度回転して閂受け３５に嵌ってルーバー扉１４と引き違い扉１２（図５参照）とはロック状態になり、また、摺動板３０の翼部３０ａはハンドル１６の軸周りのピン２５の回動によりリンク２６を介して右に移動してルーバー扉１４の枠１５内に収容される。
【００１６】
このとき、ルーバー３１が閉じた状態であれば外部から手指を差し込むことができず、強引に手指を差し込んでハンドル１６を廻そうとすると摺動板３０の両翼部３０ａが迫り出してルーバー３１の揺動を阻止するのでルーバー扉１４を開けることはできない。
【００１７】
また、ルーバー扉１４と引き違い扉１２とはロック状態でルーバー３１が開いた状態だとして、開いたルーバー３１の間から手指を差し込んでハンドル１６を廻してロックを外そうとすると、摺動板３０がルーバー扉１４の枠１５から迫り出そうとし、このとき摺動板３０の両翼部３０ａはルーバー３１の端に衝突してハンドル１６は回すことができず、従ってロックを外すことはできない。
【００１８】
なお、上記実施例では、回転閂２０と閂受け３５とでルーバー扉１４と引き違い扉１２とのロックを行うようにしたが、図６に示すように上記開閉操作ハンドルの回転軸１７に偏心カム機構３６を設け、上記偏心円形カム機構３６に閂棒３７と、外形形状がＴ形で、翼部３０ａの中央で閂棒３７の受け穴３８を設け、脚部３０ｂの両側延長線上にスリット３０ｄを設けた摺動板３０とを取付け、その摺動板３０の脚部３０ｂを案内するガイド３２をルーバー扉の枠内に設けたものとすることができる。また、上記偏心カム機構に替えて揺動クランク機構とすることもできる。
【産業上の利用可能性】
【００１９】
以上説明したようにこの発明によれば、引き違い扉を嵌めた窓枠にヒンジを介してルーバー扉を取付けたものにおいてルーバー扉のロックとルーバーのロックが完全に出来るようになり、防犯上大きな効果を発揮する。
【図面の簡単な説明】
【００２０】
【図１】本発明に係る実施例の動作説明図（その１）
【図２】同（その２）
【図３】ダブルロックを構成する部品図
【図４】同部品の分解図
【図５】引き違い扉にルーバー扉をセットした状態の説明図
【図６】他の実施例の部分縦断面図
【符号の説明】
【００２１】
１０  ロック装置
１１  窓枠
１２  引き違い扉
１３  ヒンジ
１４  ルーバー扉
１５  枠（ルーバー扉の）
１６  ハンドル
１６ｂ  ボス（ハンドルの）
１７  軸
１７ａ  角軸
１７ｂ  丸軸
１８  ライナー
１９  スプリング
２０  回転閂
２１  軸受け
２２  雌ネジ
２３  ワッシャー付きビス
２４  ピン孔（回転閂側の）
２５  ピン（回転閂側の）
２６  リンク
２７  ピン孔（リンク側の）
２８  ピン（リンク側の）
２９  カラー
３０  摺動板
３０ａ  翼部
３０ｂ  脚部
３０ｃ  刳抜き
３０ｄ  スリット
３１  ルーバー
３２  ガイド
３３  枠(戸当り部分）
３４  取付け板
３５  閂受け
３６  偏心カム機構
３７  閂棒
３８  受け穴（閂棒の）
【図１】
2007113198.tif 000003
【図２】
2007113198.tif 000004
【図３】
2007113198.tif 000005
【図４】
2007113198.tif 000006
【図５】
2007113198.tif 000007
【図６】
2007113198.tif 000008